(57)【要約】【課題】接続されている外部機器のアプリケーションプログラムに変更を加えることなく、プリンターが待機状態のときに、記録紙排出口から露出していない記録紙部分を確認することができるプリンターを提供することにある。【解決手段】プリンター１は紙送りボタン１１を備えている。記録紙２１が印刷位置Ａに位置決めされている待機状態において、この紙送りボタン１１が操作されると（ステップＳＴ１）、記録紙２１は印刷位置Ａから記録紙搬送方向の下流側に予め定めた所定搬送量だけ搬送されて記録紙排出口６から排出され、プリプリント部分２３が記録紙排出口６から外側に露出する（ステップＳＴ２）。紙送りボタン１１が再び操作されると（ステップＳＴ５）、記録紙２１は紙搬送方向の上流側に所定搬送量だけ搬送されて、印刷位置Ａに位置決めされ、プリンター１は待機状態になる（ステップＳＴ４）。【選択図】図４
2011073184.tif 000002
【特許請求の範囲】
【請求項１】
印刷ヘッドによる印刷位置を経由して記録紙排出口に至る記録紙搬送路に沿って記録紙を搬送しながら印刷を行い、
印刷終了時に前記記録紙を前記記録紙搬送路上の所定位置に位置決めし、
操作部が操作されると、前記記録紙を前記所定位置から記録紙搬送方向の下流側に所定搬送量だけ送り出された送り出し状態となるまで搬送し、
前記操作部が再び操作されると、前記記録紙を記録紙搬送方向の上流側に前記所定搬送量だけ引き込んで前記所定位置に位置決めされた状態に戻すことを特徴とするプリンターの記録紙搬送制御方法。
【請求項２】
前記記録紙は、一定間隔で印刷が施されているプリプリント部分を備えており、
前記記録紙が前記送り出し状態では、記録紙搬送方向の最も下流側の前記プリプリント部分が前記記録紙排出口から露出することを特徴とする請求項１に記載のプリンターの記録紙搬送制御方法。
【請求項３】
前記記録紙が前記送り出し状態において、印刷指令を受信すると、前記記録紙を記録紙搬送方向の上流側に前記所定搬送量だけ引き込んで前記所定位置に位置決めされた状態に戻すことを特徴とする請求項１または２に記載のプリンターの記録紙搬送制御方法。
【請求項４】
前記記録紙が前記送り出し状態の経過時間を計測しており、
前記経過時間が予め定めた所定時間を越えた場合には、前記記録紙を記録紙搬送方向の上流側に前記所定搬送量だけ引き込んで前記所定位置に位置決めされた状態に戻すことを特徴とする請求項１または２に記載のプリンターの記録紙搬送制御方法。
【請求項５】
前記記録紙が前記送り出し状態において、電源オフ命令を受信すると、前記記録紙を記録紙搬送方向の上流側に前記所定搬送量だけ引き込んで前記所定位置に位置決めされた状態に戻すことを特徴とする請求項１または２に記載のプリンターの記録紙搬送制御方法。
【請求項６】
前記記録紙が前記所定位置に位置決めされた状態において、前記操作部が予め定めた基準時間に亘って操作された場合には、前記記録紙を前記プリプリント部分の間隔に対応する搬送量だけ下流側に搬送することを特徴とする請求項２に記載のプリンターの記録紙搬送制御方法。
【請求項７】
外部機器からの搬送量設定命令を受信すると、前記搬送量設定命令によって指定されている搬送量を前記所定搬送量として設定することを特徴とする請求項１ないし６のうちのいずれかの項に記載のプリンターの記録紙搬送制御方法。
【請求項８】
印刷ヘッドによる印刷位置を経由して記録紙排出口に至る記録紙搬送路と、
前記記録紙搬送路に沿って記録紙を搬送する記録紙搬送手段と、
印刷が終了すると前記記録紙を前記記録紙搬送路上の所定位置に位置決めする記録紙搬送制御手段と、
操作部と、
前記記録紙が前記所定位置から記録紙搬送方向の下流側に所定搬送量だけ搬送された送り出し状態か否かを判定する判定手段とを有し、
前記記録紙搬送制御手段は、前記操作部が操作されると、前記記録紙が前記送り出し状態でない場合には、前記記録紙を前記所定位置から記録紙搬送方向の下流側に所定搬送量だけ送り出して送り出し状態とし、前記記録紙が前記送り出し状態の場合には、前記記録紙を記録紙搬送方向の上流側に前記所定搬送量だけ引き込んで前記所定位置に位置決めすることを特徴とするプリンター。
【請求項９】
前記記録紙は、一定間隔で印刷が施されているプリプリント部分を備えており、
前記所定搬送量は、前記記録紙が前記所定位置に位置決めされているときに前記記録紙排出口の記録紙搬送方向の上流側に隣接している前記プリプリント部分が、前記記録紙排出口から露出するのに必要な搬送量であることを特徴とする請求項８に記載のプリンター。
【請求項１０】
前記記録紙搬送制御手段は、印刷指令を受信すると、前記記録紙が前記送り出し状態の場合には、前記記録紙を記録紙搬送方向の上流側に前記所定搬送量だけ引き込んで前記所定位置に位置決めすることを特徴とする請求項８または９に記載のプリンター。
【請求項１１】
前記記録紙が前記送り出し状態の経過時間を計測する経過時間計測手段を有し、
前記記録紙搬送制御手段は、前記経過時間が予め定めた所定時間を越えた場合には、前記記録紙を記録紙搬送方向の上流側に前記所定搬送量だけ引き込んで前記所定位置に位置決めすることを特徴とする請求項８または９に記載のプリンター。
【請求項１２】
前記記録紙搬送制御手段は、電源オフ指令を受信すると、前記記録紙が前記送り出し状態の場合には、前記記録紙を記録紙搬送方向の上流側に前記所定搬送量だけ引き込んで前記所定位置に位置決めすることを特徴とする請求項８または９に記載のプリンター。
【請求項１３】
前記記録紙が前記所定位置に位置決めされているか否かを判定する位置決め状態判定手段と、
前記操作部が予め定めた基準時間に亘って操作されたか否かを検出する操作時間判定手段とを有し、
前記記録紙搬送制御手段は、前記記録紙が前記所定位置に位置決めされている場合において、前記操作部が予め定めた基準時間に亘って操作されたときには、前記記録紙を前記プリプリント部分の間隔に対応する搬送量だけ下流側に搬送することを特徴とする請求項９に記載のプリンター。
【請求項１４】
前記記録紙搬送制御手段は、外部機器からの搬送量設定命令を受信すると、前記搬送量設定命令によって指定されている搬送量を前記所定搬送量として設定することを特徴とする請求項８ないし１３のうちのいずれかの項に記載のプリンター。
【発明の詳細な説明】
【技術分野】
【０００１】
本発明は、印刷終了後に記録紙を記録紙搬送路上の所定位置に位置決めして待機状態となるプリンターに関する。より詳細には、プリンターが待機状態のときに、記録紙排出口から露出していない記録紙部分を確認することができるプリンターの記録紙搬送制御方法およびプリンターに関する。
【背景技術】
【０００２】
レシートや所定の帳票などを発行するプリンターは、印刷ヘッドによる印刷位置を経由して記録紙排出口に至る記録紙搬送路に沿って記録紙を搬送しながら印刷を行う。印刷が終了すると、プリンターは、記録紙の印刷開始目標位置を記録紙搬送路上の印刷位置に位置決めし、次の印刷に備える待機状態となる。例えば、特許文献１に記載のプリンターでは、印刷が終了すると、記録紙の切断目標位置を記録紙搬送路上のカッターによる切断位置に位置決めして切断を行い、しかる後に、記録紙を印刷位置に位置決めして待機状態となる。
【０００３】
ここで、レシートや所定の帳票の発行に用いられるロール紙の中には、記録紙に予め一定間隔でシリアルナンバーなどが印刷されたプリプリント部分を備えるものがある。このようなロール紙を用いてレシートなどを発行する場合には、印刷データは記録紙上で隣接しているプリプリント部分の間の印刷領域に印刷される。そして、レシートを発行する前には、必要に応じて、印刷領域の記録紙搬送方向の下流側に隣接するプリプリント部分のシリアルナンバーを確認し、プリンターに接続されている会計処理装置に入力するようになっている。
【先行技術文献】
【特許文献】
【０００４】
【特許文献１】特開２００７−３２０１３４号公報
【発明の概要】
【発明が解決しようとする課題】
【０００５】
プリンターは、一般的に、押下されている間記録紙を下流側に向かって紙送りする紙送りボタンを備えている。従って、上記のロール紙を用いてレシートの発行を行うオペレーターは、待機状態のときに紙送りボタンを操作して記録紙を紙送りすることにより、プリプリント部分を記録紙排出口から露出させてシリアルナンバーを確認する。
【０００６】
ここで、シリアルナンバーを確認するために紙送りを行うと、記録紙が印刷位置から記録紙搬送方向の下流側に移動してしまうので、次のレシート発行を行う前までに、記録紙を印刷位置に位置決めし直さなければならない。これに対して、会計処理装置からプリンターにコマンドを送信して記録紙を上流側に搬送して記録紙を印刷位置に位置決めすることが考えられるが、この場合には、コマンドにより上流側に搬送する記録紙の搬送量と、紙送りボタンの操作により手動で下流側に搬送された記録紙の搬送量とを一致させることが難しく、記録紙を印刷位置に正確に位置決めできない。また、シリアルナンバーを確認した後に、オペレーターが記録紙を印刷位置に位置決めするようにすることも考えられるが、この場合にも、手動で記録紙を印刷位置に正確に位置決めすることは難しい。
【０００７】
そこで、シリアルナンバーを確認するために、会計処理装置からプリンターに第１のコマンドを送信して、記録紙を印刷位置から下流側に搬送してプリプリント部分を記録紙排出口から露出させ、しかる後に、会計処理装置からプリンターに第２のコマンドを送信して、記録紙を上流側に搬送して印刷位置に位置決めするようにすることが考えられる。この場合には、記録紙を印刷位置に正確に位置決めし直すことは可能になるが、会計処理装置のアプリケーションプログラムに変更を加えなければならないので、コストが嵩んでしまうという問題がある。
【０００８】
本発明の課題は、このような点に鑑みて、接続されている外部機器のアプリケーションプログラムに変更を加えることなく、プリンターが待機状態のときに、記録紙排出口から露出していない記録紙部分を確認することができるプリンターの記録紙搬送制御方法およびプリンターを提供することにある。
【課題を解決するための手段】
【０００９】
上記課題を解決するために、本発明のプリンターの記録紙搬送制御方法は、
印刷ヘッドによる印刷位置を経由して記録紙排出口に至る記録紙搬送路に沿って記録紙を搬送しながら印刷を行い、
印刷終了時に前記記録紙を前記記録紙搬送路上の所定位置に位置決めし、
操作部が操作されると、前記記録紙を前記所定位置から記録紙搬送方向の下流側に所定搬送量だけ送り出された送り出し状態となるまで搬送し、
前記操作部が再び操作されると、前記記録紙を記録紙搬送方向の上流側に前記所定搬送量だけ引き込んで前記所定位置に位置決めされた状態に戻すことを特徴とする。
【００１０】
本発明によれば、記録紙が記録紙搬送路上の所定位置に位置決めされている待機状態のときに紙送りボタンなどの操作部が操作されると、記録紙は所定搬送量だけ記録紙搬送方向の下流側に搬送された送り出し状態となる。従って、記録紙における記録紙搬送方向の下流端部分を記録紙排出口から露出させることができる。また、紙送りボタンが再び操作されると、記録紙は所定搬送量だけ記録紙搬送方向の上側に引き込まれて所定位置に正確に位置決めされた状態に戻り、プリンターが待機状態に戻る。従って、接続されている外部機器のアプリケーションプログラムに変更を加えることなく、プリンターが待機状態のときに、記録紙排出口から露出していない記録紙部分を確認することができる。
【００１１】
本発明において、前記記録紙は、一定間隔で印刷が施されているプリプリント部分を備えており、前記記録紙が前記送り出し状態では、記録紙搬送方向の最も下流側の前記プリプリント部分が前記記録紙排出口から露出することが望ましい。このようにすれば、紙送りボタンを操作することにより、プリプリント部分を記録紙排出口から露出させて確認することができる。また、プリプリント部分の確認終了後に紙送りボタンを再度操作することにより、記録紙を所定位置に位置決めした状態に戻すことができる。
【００１２】
本発明において、次の印刷指令による印刷が開始される時点において、記録紙を所定位置に戻しておくためには、前記記録紙が前記送り出し状態において、印刷指令を受信すると、前記記録紙を記録紙搬送方向の上流側に前記所定搬送量だけ引き込んで前記所定位置に位置決めされた状態に戻すことが望ましい。
【００１３】
本発明において、記録紙を自動的に所定位置に戻しておくためには、前記記録紙が前記送り出し状態の経過時間を計測しており、前記経過時間が予め定めた所定時間を越えた場合には、前記記録紙を記録紙搬送方向の上流側に前記所定搬送量だけ引き込んで前記所定位置に位置決めされた状態に戻すことが望ましい。
【００１４】
本発明において、電源がオフされる前に記録紙を所定位置に戻すためには、前記記録紙が前記送り出し状態において、電源オフ命令を受信すると、前記記録紙を記録紙搬送方向の上流側に前記所定搬送量だけ引き込んで前記所定位置に位置決めされた状態に戻すことが望ましい。
【００１５】
本発明において、前記記録紙が前記所定位置に位置決めされた状態において、前記操作部が予め定めた基準時間に亘って操作された場合には、前記記録紙を前記プリプリント部分の間隔に対応する搬送量だけ下流側に搬送することが望ましい。このようにすれば、例えば、レシートを１枚発行する際に使用される記録紙の領域を所定位置よりも下流側に搬送し、次のレシートの発行に使用される記録紙の領域を所定位置に位置決めできる。
【００１６】
本発明において、所定搬送量を所望の値に変更するためには、外部機器からの搬送量設定命令を受信すると、前記搬送量設定命令によって指定されている搬送量を前記所定搬送量として設定することが望ましい。
【００１７】
次に、本発明のプリンターは、
印刷ヘッドによる印刷位置を経由して記録紙排出口に至る記録紙搬送路と、
前記記録紙搬送路に沿って記録紙を搬送する記録紙搬送手段と、
印刷が終了すると前記記録紙を前記記録紙搬送路上の所定位置に位置決めする記録紙搬送制御手段と、
操作部と、
前記記録紙が前記所定位置から記録紙搬送方向の下流側に所定搬送量だけ搬送された送り出し状態か否かを判定する判定手段とを有し、
前記記録紙搬送制御手段は、前記操作部が操作されると、前記記録紙が前記送り出し状態でない場合には、前記記録紙を前記所定位置から記録紙搬送方向の下流側に所定搬送量だけ送り出して前記送り出し状態とし、前記記録紙が前記送り出し状態の場合には、前記記録紙を記録紙搬送方向の上流側に前記所定搬送量だけ引き込んで前記所定位置に位置決めすることを特徴とする。
【００１８】
本発明によれば、記録紙が所定位置に位置決めされている待機状態のときに紙送りボタンなどの操作部を操作すると、記録紙は所定搬送量だけ記録紙搬送方向の下流側に搬送されて、送り出し状態となる。従って、記録紙における記録紙搬送方向の下流端部分を記録紙排出口から露出させることができる。また、記録紙が送り出し状態のときに、紙送りボタンを操作すると、記録紙は所定搬送量だけ記録紙搬送方向の上側に引き込まれて所定位置に正確に位置決めされた状態に戻り、プリンターが待機状態に戻る。従って、接続されている外部機器のアプリケーションプログラムに変更を加えることなく、プリンターが待機状態のときに、記録紙排出口から露出していない記録紙部分を確認することができる。
【００１９】
本発明において、前記記録紙は、一定間隔で印刷が施されているプリプリント部分を備えており、前記所定搬送量は、前記記録紙が前記所定位置に位置決めされているときに前記記録紙排出口の記録紙搬送方向の上流側に隣接している前記プリプリント部分が、前記記録紙排出口から露出するのに必要な搬送量であることが望ましい。このようにすれば、紙送りボタンを操作することにより、プリプリント部分を記録紙排出口から露出させて確認することができる。また、プリプリント部分の確認終了後に紙送りボタンを再度操作することにより、記録紙を所定位置に位置決めした状態に戻すことができる。
【００２０】
本発明において、次の印刷指令による印刷が開始される時点において、記録紙を所定位置に戻しておくためには、前記記録紙搬送制御手段は、印刷指令を受信すると、前記記録紙が前記送り出し状態の場合には、前記記録紙を記録紙搬送方向の上流側に前記所定搬送量だけ引き込んで前記所定位置に位置決めすることが望ましい。
【００２１】
本発明において、記録紙を自動的に所定位置に戻しておくためには、前記記録紙が前記送り出し状態の経過時間を計測する経過時間計測手段を有し、前記記録紙搬送制御手段は、前記経過時間が予め定めた所定時間を越えた場合には、前記記録紙を記録紙搬送方向の上流側に前記所定搬送量だけ引き込んで前記所定位置に位置決めすることが望ましい。
【００２２】
本発明において、電源がオフされる前に記録紙を所定位置に戻すためには、前記記録紙搬送制御手段は、電源オフ指令を受信すると、前記記録紙が前記送り出し状態の場合には、前記記録紙を記録紙搬送方向の上流側に前記所定搬送量だけ引き込んで前記所定位置に位置決めすることが望ましい。
【００２３】
本発明において、前記記録紙が前記所定位置に位置決めされているか否かを判定する位置決め状態判定手段と、前記操作部が予め定めた基準時間に亘って操作されたか否かを検出する操作時間判定手段とを有し、前記記録紙搬送制御手段は、前記記録紙が前記所定位置に位置決めされている場合において、前記操作部が予め定めた基準時間に亘って操作されたときには、前記記録紙を前記プリプリント部分の間隔に対応する搬送量だけ下流側に搬送することが望ましい。このようにすれば、例えば、レシートを１枚発行する際に使用される記録紙の領域を所定位置よりも下流側に搬送し、次のレシートの発行に使用される記録紙の領域を所定位置に位置決めできる。
【００２４】
本発明において、所定搬送量を所望の値に変更するためには、前記記録紙搬送制御手段は、外部機器からの搬送量設定命令を受信すると、前記搬送量設定命令によって指定されている搬送量を前記所定搬送量として設定することが望ましい。
【発明の効果】
【００２５】
本発明によれば、記録紙が記録紙搬送路上の所定位置に位置決めされている待機状態のときに紙送りボタンが操作されると、記録紙は所定搬送量だけ記録紙搬送方向の下流側に搬送された送り出し状態となる。従って、記録紙における記録紙搬送方向の下流端部分を記録紙排出口から露出させることができる。また、紙送りボタンが再び操作されると、記録紙は所定搬送量だけ記録紙搬送方向の上側に引き込まれて所定位置に正確に位置決めされた状態に戻り、プリンターが待機状態に戻る。従って、接続されている外部機器のアプリケーションプログラムに変更を加えることなく、プリンターが待機状態のときに、記録紙排出口から露出していない記録紙部分を確認することができる。
【図面の簡単な説明】
【００２６】
【図１】本発明を適用したプリンターの外観斜視図である。
【図２】プリンターの主要部分の概略構成を示す説明図である。
【図３】プリンターの制御系を示す概略ブロック図である。
【図４】記録紙搬送動作を示すフローチャートである。
【発明を実施するための形態】
【００２７】
以下に、図面を参照して、本発明を適用したプリンターの実施の形態を説明する。
【００２８】
（プリンター）
図１は本発明を適用したプリンターの外観斜視図である。プリンター１はロール紙２から繰り出される長尺状の記録紙２１に印刷データを印刷するものであり、会計処理装置（外部機器）に接続されてレシートなどを発行する。プリンター１は直方体形状のプリンターケース３を備えており、プリンターケース３のケース上面部分には、前端縁部分を中心にして回動して開閉する前側開閉蓋４と、後端縁部分を中心にして回動して開閉する後側開閉蓋５が取り付けられている。前側開閉蓋４と後側開閉蓋５との間には所定幅の矩形の記録紙排出口６が形成されており、記録紙排出口６の右側には、前側開閉蓋４および後側開閉蓋５を開閉するための開閉ボタン７が設けられている。開閉ボタン７を下方に向かって押し込むと前側開閉蓋４および後側開閉蓋５のロックが解除され、前側開閉蓋４および後側開閉蓋５がばね力などの付勢力によって上方に回動して開いた状態になる。この結果、プリンターケース３内に構成されているロール紙収納部８（図２参照）が開放状態になるので、ロール紙２をロール紙収納部８に装填可能となる。
【００２９】
ロール紙収納部８に装填されるロール紙２の記録紙２１は、予め一定間隔でシリアルナンバー２２などの印刷が施されているプリプリント部分２３を備えており、レシートを発行するための印刷データは、記録紙２１上で隣接しているプリプリント部分２３の間の印刷領域２４に印刷される。ここで、店舗において会計を行う店員は、レシートを発行する前に、必要に応じて、印刷領域２４よりも記録紙２１の先端側にプリプリントされたシリアルナンバー２２を確認し、このシリアルナンバー２２をプリンター１に接続されている会計処理装置９に入力するようになっている。記録紙２１の裏面には矩形のブラックマーク２５が一定間隔で施されている。各ブラックマーク２５は各プリプリント部分２３の裏側に位置している。
【００３０】
プリンターケース３の前面部分の中央部分には、後側に窪む凹部１０が形成されている。凹部１０の下側部分には上方に向く端面が形成されており、この端面には紙送りボタン（操作部）１１が設けられている。プリンターケース３の前面部分の下端部分には、電源スイッチ１２が設けられている。
【００３１】
図２はプリンター１の主要部分の概略構成を示す説明図である。プリンター１は、ロール紙２が装填されるロール紙収納部８から記録紙排出口６に至る記録紙搬送路１３と、この記録紙搬送路１３に沿って記録紙２１を搬送する記録紙搬送機構１４を備えている。記録紙搬送路１３は、記録紙搬送方向の上流側から印刷ヘッド１５による印刷位置Ａおよびオートカッター１６による切断位置Ｂをこの順番で経由するように延びている。印刷位置Ａはプラテン２０により規定されている。記録紙搬送機構１４は、駆動ローラー１７ａと、この駆動ローラー１７ａと対峙する位置に配置された従動ローラー１７ｂと、駆動ローラー１７ａを回転駆動するモーター１８を備えている。記録紙搬送機構１４は紙送りボタン１１の操作によっても駆動されるようになっている。
【００３２】
印刷ヘッド１５は、インクリボン（不図示）に記録ワイヤを打ち当ててインクリボンのインクを記録紙２１に付着させて印刷するシリアル・インパクト・ドット・マトリクス（ＳＩＤＭ）プリントヘッドである。印刷位置Ａを通過する記録紙２１は、モーター１８によって回転駆動される駆動ローラー１７ａと従動ローラー１７ｂによって搬送され、プラテン２０に対向する印刷ヘッド１５で印刷が施される。印刷位置Ａの記録紙搬送方向の上流側の紙検出位置Ｃには、記録紙２１の裏面側に設けられているブラックマーク２５を検出するためのフォトセンサー１９が配置されている。
【００３３】
ロール紙２がロール紙収納部８に装填されると、プリンター１は記録紙２１を記録紙搬送路１３に沿って印刷位置Ａへと搬送する。紙検出位置Ｃにおいてブラックマーク２５が検出されると、プリンター１は、記録紙２１を、その時点から所定の第１搬送量だけ下流側に搬送して印刷位置Ａに位置決めする。より詳細には、プリンター１は、記録紙２１の最も下流側のプリプリント部分２３と当該プリプリント部分２３の上流側で隣接する印刷領域２４との間の印刷開始目標位置２４ａを印刷位置Ａに一致させる。これにより、プリンター１は印刷指令を待つ待機状態となる。
【００３４】
会計処理装置９からの印刷指令を受信すると、プリンターは、記録紙２１を記録紙搬送路１３に沿って記録紙搬送方向の下流側に向かって搬送しながら印刷を行う。印刷が終了すると、記録紙２１は切断位置Ｂに位置決めされて、切断される。より詳細には、プリンター１は、記録紙２１を、ブラックマーク２５が検出された時点から所定の第２搬送量だけ記録紙搬送方向の下流側に搬送することにより、印刷が施された印刷領域２４と当該印刷領域２４の上流側に隣接するプリプリント部分との間の切断目標位置２４ｂを切断位置Ｂに一致させ、しかる後に、記録紙２１を切断する。
【００３５】
記録紙２１の切断が終了すると、プリンター１は、記録紙２１を再び印刷位置Ａに位置決めして、待機状態となる。すなわち、プリンター１は、記録紙２１を切断終了時点から所定の第３搬送量だけ記録紙搬送方向の上流側に搬送することにより、新たに記録紙２１の最も下流側となったプリプリント部分２３と当該プリプリント部分２３の上流側で隣接する印刷領域２４との間の印刷開始目標位置を印刷位置Ａに一致させる。
【００３６】
（制御系）
図３はプリンター１の制御系を示す概略ブロック図である。プリンター１の制御系は、ＣＰＵおよびＲＯＭ、ＲＡＭなどを備えた制御部３０を中心に構成されている。制御部３０は会計処理装置９と接続されており、会計処理装置９から受信する印刷指令などのコマンドに基づいてプリンター１の各部を制御する。制御部３０の入力側には、紙送りボタン１１とフォトセンサー１９が接続されている。制御部３０の出力側には、印刷ヘッド１５、オートカッター１６、記録紙搬送機構１４のモーター１８などが不図示のドライバーを介して接続されている。制御部３０は、会計処理装置９からの印刷指令を受信すると、記録紙搬送機構１４のモーター１８を駆動して、ロール紙２から繰り出した記録紙２１を記録紙搬送路１３に沿って搬送し、印刷位置Ａにおいて印刷ヘッド１５による印刷を行う。しかる後に、切断位置Ｂにおいてオートカッター１６による切断を行う。
【００３７】
また、制御部３０は、印刷および切断が終了すると記録紙２１を記録紙搬送路１３上の印刷位置Ａに位置決めするとともに、紙送りボタン１１の操作などに基づいて記録紙を所定搬送量だけ搬送する記録紙搬送制御手段３１と、記録紙２１が印刷位置から記録紙搬送方向の下流側に所定搬送量だけ搬送された送り出し状態か否かを判定する判定手段３２を備えている。
【００３８】
記録紙搬送制御手段３１は、紙送りボタン１１が操作されると、記録紙２１が送り出し状態ではない場合（印刷位置Ａから記録紙搬送方向の下流側に所定搬送量だけ搬送されていない場合）には、記録紙２１を印刷位置Ａから記録紙搬送方向の下流側に所定搬送量だけ送り出して送り出し状態とする。一方、記録紙２１が送り出し状態の場合（印刷位置Ａから記録紙搬送方向の下流側に所定搬送量だけ搬送されている状態の場合）には、記録紙２１を記録紙搬送方向の上流側に所定搬送量だけ引き込んで印刷位置Ａに位置決めする。ここで、所定搬送量は、記録紙２１が印刷位置Ａに位置決めされているときに、記録紙２１において記録紙排出口６の記録紙搬送方向の上流側に隣接しているプリプリント部分２３のシリアルナンバー２２が、記録紙排出口６から外側に露出するのに必要な搬送量となっている。従って、記録紙２１が送り出し状態では、記録紙２１において記録紙搬送方向の最も下流側のシリアルナンバー２２が記録紙排出口６から露出する。
【００３９】
また、記録紙搬送制御手段３１は、制御部３０が会計処理装置９から印刷指令を受信したときに、記録紙２１が送り出し状態には、記録紙２１を記録紙搬送方向の上流側に所定搬送量だけ引き込んで印刷位置Ａに位置決めする。
【００４０】
さらに、記録紙搬送制御手段３１は、会計処理装置９からの搬送量設定命令を受信すると、搬送量設定命令によって指定されている搬送量を所定搬送量として設定する。
【００４１】
判定手段３２は、記録紙２１の搬送状態を判定するためのフラグを記憶保持しており、紙送りボタン１１が操作されることによって記録紙搬送制御手段３１が記録紙２１を印刷位置Ａから所定搬送量だけ記録紙搬送方向の下流側に搬送すると、このフラグを立てるようになっている。また、フラグが立てられた状態において、記録紙搬送制御手段３１が記録紙２１を所定搬送量だけ記録紙搬送方向の上側に搬送すると、当該フラグを倒すようになっている。なお、判定手段３２は、検出したブラックマークの位置に基づいて記録紙搬送路１３上の記録紙２１の位置を把握することにより、記録紙２１が印刷位置Ａから記録紙搬送方向の下流側に所定搬送量だけ搬送されている状態か否かを判定するようにすることもできる。
【００４２】
（記録紙搬送動作）
図４は待機状態において記録紙のプリプリント部を確認する際の記録紙搬送動作のフローチャートである。フローチャートの右側の図は対応するステップにおける記録紙の搬送状態を示している。
【００４３】
まず、プリンター１は待機状態となっており、記録紙２１は印刷位置Ａに位置決めされているものとする。また、会計処理装置９を操作する店員には、レシートを発行する前に記録紙２１のプリプリント部分２３に印刷されているシリアルナンバー２２を確認して、会計処理装置９に入力することが求められているものとする。
【００４４】
ここで、記録紙２１が印刷位置Ａに位置決めされている待機状態では、待機状態の図に示すように、シリアルナンバー２２は記録紙搬送路１３上に位置しており、記録紙排出口６から露出しておらず、プリンターケース３の外側からでは確認できない。
【００４５】
店員が紙送りボタン１１を押すと（ステップＳＴ１）、記録紙搬送制御手段３１は、記録紙２１を所定搬送量だけ記録紙搬送方向の下流側に送り出す。すなわち、記録紙２１を送り出し状態とする（ステップＳＴ２）。記録紙搬送制御手段３１によって記録紙が記録紙搬送方向の下流側に搬送されると、判定手段３２は、記録紙２１が送り出し状態であると判定して、フラグを立てる。記録紙２１が所定搬送量だけ記録紙搬送方向の下流側に搬送された状態では、ステップＳＴ２の図に示すように、シリアルナンバー２２が印刷されたプリプリント部分２３は記録紙排出口６からプリンターケース３の外側に露出する。従って、店員はこのシリアルナンバー２２を確認することができる。
【００４６】
次に、制御部３０が会計処理装置９からの印刷指令を受信すると（ステップＳＴ３）、記録紙搬送制御手段３１は判定手段３２のフラグを確認する。すなわち、記録紙２１が送り出し状態か否かを確認する。ステップＳＴ３では、判定手段３２のフラグは立っており、記録紙２１が送り出し状態であると判定されているので、記録紙搬送制御手段３１は、記録紙２１を記録紙搬送方向の上流側に所定搬送量だけ引き込んで印刷位置Ａに位置決めする（ステップＳＴ４）。また、記録紙搬送制御手段３１が記録紙２１を所定搬送量だけ記録紙搬送方向の上側に搬送すると、判定手段３２は、記録紙２１が送り出し状態ではないと判定して、フラグを倒す。これにより、プリンター１は待機状態に戻る。従って、その後に、ステップＳＴ５で受信した印刷指令による印刷が行われる。
【００４７】
ステップＳＴ３において制御部３０が会計処理装置９からの印刷指令を受信することなく、紙送りボタン１１が操作された場合には（ステップＳＴ５）、記録紙搬送制御手段３１は判定手段３２のフラグを確認する。すなわち、記録紙２１が送り出し状態か否かを確認する。ステップＳＴ５では、判定手段３２のフラグは立っており、記録紙２１が送り出し状態であると判定されているので、記録紙搬送制御手段３１は、記録紙２１を記録紙搬送方向の上流側に所定搬送量だけ引き込んで印刷位置Ａに位置決めする（ステップＳＴ４）。また、記録紙搬送制御手段３１が記録紙２１を所定搬送量だけ記録紙搬送方向の上側に搬送すると、判定手段３２は、記録紙２１が送り出し状態ではないと判定して、フラグを倒す。これによりプリンター１は待機状態に戻る。
【００４８】
なお、待機状態において、制御部３０が会計処理装置９からの印刷指令を受信した場合には、判定手段３２のフラグは倒れており、記録紙２１が送り出し状態ではないと判定されている。従って、ステップＳＴ４のような記録紙搬送動作は行われることなく、印刷指令による印刷が直ちに開始される。
【００４９】
（効果）
本例によれば、記録紙２１が印刷位置Ａに位置決めされている待機状態のときに、紙送りボタン１１を操作すると、記録紙２１が記録紙搬送方向の下流側に送り出されて、記録紙２１のプリプリント部分２３のシリアルナンバー２２が記録紙排出口６から露出する。また、紙送りボタン１１を再度操作すると、記録紙２１は記録紙搬送方向の上流側に引き込まれて印刷位置Ａに正確に位置決めされた状態に戻り、プリンター１は待機状態に戻る。従って、接続されている会計処理装置９のアプリケーションプログラムに変更を加えることなく、プリンター１が待機状態になっているときに、記録紙排出口６から露出していない記録紙２１部分を確認することができる。
【００５０】
また、本例では、紙送りボタン１１が操作されて記録紙２１が送り出し状態となり、記録紙２１のプリプリント部分２３のシリアルナンバー２２が記録紙排出口６から露出しているときに印刷指令を受信すると、記録紙２１は記録紙搬送方向の上流側に引き込まれて印刷位置Ａに位置決めされた状態に戻り、プリンター１は待機状態に戻る。この結果、印刷開始時点では、常に、記録紙２１が印刷位置Ａに位置決めされた状態となるので、印刷領域２４から外れた位置に印刷が行われることを回避できる。
【００５１】
さらに、本例では、記録紙搬送制御手段３１は、会計処理装置９からの搬送量設定命令を受信すると、搬送量設定命令によって指定されている搬送量を所定搬送量として設定する。この結果、所定搬送量を所望の値に設定することができるので、シリアルナンバー２２の印刷位置が異なる多様なロール紙２を用いてレシートを発行できる。
【００５２】
［変形例１］
上記の実施の形態において、制御部３０は、更に、記録紙２１が送り出し状態の経過時間を計測する経過時間計測手段を有し、記録紙搬送制御手段３１は、経過時間が予め定めた所定時間を越えた場合には、記録紙２１を記録紙搬送方向の上流側に所定搬送量だけ搬送して印刷位置Ａに位置決めするようにしてもよい。このようにすれば、紙送りボタン１１を操作してプリプリント部分２３の確認をした後に、紙送りボタン１１を再度操作することを忘れてしまった場合でも、記録紙２１は自動的に印刷位置Ａに位置決めされ、プリンター１が待機状態に戻る。
【００５３】
［変形例２］
上記の実施の形態において、記録紙搬送制御手段３１は、会計処理装置９から電源オフ指令を受信すると、記録紙２１が送り出し状態の場合には、記録紙２１を記録紙搬送方向の上流側に所定搬送量だけ搬送して印刷位置Ａに位置決めするようにしてもよい。このようにすれば、電源がオフにされる時点では、記録紙２１は印刷位置Ａに位置決めされており、プリンター１が待機状態となっている。この結果、電源投入時には記録紙２１は印刷位置Ａに位置決めされているので、電源投入後の最初の印刷時において、印刷領域２４から外れた位置に印刷が施されることがない。電源オフ指令は、プリンター１に備えられた電源オフ用のソフトスイッチによる信号でもよい。
【００５４】
［変形例３］
上記の実施の形態において、制御部３０は、更に、記録紙２１が印刷位置Ａに位置決めされているか否かを判定する位置決め状態判定手段と、紙送りボタン１１が予め定めた基準時間に亘って操作されたか否かを検出する操作時間判定手段とを有し、記録紙搬送制御手段３１は、記録紙２１が印刷位置Ａに位置決めされている場合において、紙送りボタン１１が予め定めた基準時間に亘って操作されたときには、記録紙２１をプリプリント部分２３の間隔に対応する搬送量だけ下流側に搬送するようにしてもよい。このようにすれば、レシートを１枚発行する際に使用される記録紙２１の領域を印刷位置Ａよりも下流側に搬送し、次のレシートの発行に使用される記録紙２１の領域を印刷位置Ａに位置決めできる。なお、この場合には、位置決め状態判定手段は、判定手段３２がフラグを倒している状態を、記録紙２１が印刷位置Ａに位置決めされている状態として判定することができる。
【００５５】
（その他の実施の形態）
上記の実施の形態では、プリンター１はシリアル・インパクト・ドット・マトリクス（ＳＩＤＭ）プリントヘッドにより印刷を行うものであったが、インクジェットヘッドにより印刷を行うものでもよい。また、サーマルヘッドにより印刷を行うものであってもよい。印刷ヘッドをサーマルヘッドとした場合には、記録紙搬送機構として、印刷ヘッドと対峙する位置にモーターにより駆動されるプラテンローラーを配置し、プラテンローラーによって記録紙を印刷ヘッドに押し付けながら搬送する。
【００５６】
さらに、プリンター１はロール紙２に印刷を行うものであったが、一定長さ毎に付されたミシン目位置で折り畳まれた状態のファンフォールド紙や、単票に印刷を行うものであってもよい。
【符号の説明】
【００５７】
１・プリンター、２・ロール紙、３・プリンターケース、４・前側開閉蓋、５・後側開閉蓋、６・記録紙排出口、７・開閉ボタン、８・ロール紙収納部、９・会計処理装置、１０・凹部、１１・紙送りボタン（操作部）、１２・電源スイッチ、１３・記録紙搬送路、１４・記録紙搬送機構、１５・印刷ヘッド、１６・オートカッター、１７ａ・駆動ローラー、１７ｂ・従動ローラー、１８・モーター、１９・フォトセンサー、２０・プラテン、２１・記録紙、２２・シリアルナンバー、２３・プリプリント部分、２４・印刷領域、２４ａ・印刷開始目標位置、２４ｂ・切断目標位置、２５・ブラックマーク、３０・制御部、３１・記録紙搬送制御手段、３２・判定手段、Ａ・印刷位置、Ｂ・切断位置、Ｃ・紙検出位置
【図１】
2011073184.tif 000003
【図２】
2011073184.tif 000004
【図３】
2011073184.tif 000005
【図４】
2011073184.tif 000006